(57)【要約】      （修正有）【課題】土留壁側からの振動がコンクリート壁に伝達されることを確実に遮断できる高性能で、かつ、組み立て容易な防振セパレータを提供する。【解決手段】地下に鉄筋コンクリート壁を構築する地下壁構造において防振板、型枠間に介在させる防振セパレータ１であって、第１端板１１と、第２端板１２とを隅ボルト１４、高ナット１３を用いて平行配置に取り付けたセパレータ本体１０と、小径の突出円筒部１５を第１端板１１から防振板側に突出する状態とし、円筒基部１６が第１端板１１、第２端板１２間に内装され、開口端面側が第２端板１２に接合する状態として配置した防振材からなる防振突出円筒体２３と、突出円筒部１５内に設けた土留壁側の鋼材にねじ連結した壁側ねじ連結具７の突出端側が螺着される内装高ナットと、第２端板１２の型枠に対向する側に設けた型枠側から延在する型枠側ねじ連結具８の突出端側が螺着される型枠側高ナット２０を有する。【選択図】図２
2010007280.tif 000002
【特許請求の範囲】
【請求項１】
地下に形成した土留壁に鋼材及び防振板を添設し、前記防振板からコンクリート壁厚分離隔して型枠を設置し、前記防振板、型枠間にコンクリートを打設して鉄筋コンクリート壁を構築する地下壁構造において前記防振板、型枠間に介在させる防振セパレータであって、
第１端板と、第２端板とをボルト、ナットを用いて所定の間隔を有する平行配置に取り付けたセパレータ本体と、
小径の突出円筒部と、この突出円筒部と一体の大径の円筒基部とを有し、前記突出円筒部を前記第１端板から防振板側に突出する状態とし、前記円筒基部が前記第１端板、第２端板間に内装され、開口端面側が前記第２端板に接合する状態として配置した防振材からなる防振突出円筒体と、
前記突出円筒部内に設けた前記土留壁側の鋼材にねじ連結した壁側ねじ連結具の突出端側が螺着される第１螺着部と、
前記第２端板の前記型枠に対向する側に設けた前記型枠側から延在する型枠側ねじ連結具の突出端側が螺着される第２螺着部と、
を有することを特徴とする防振セパレータ。
【請求項２】
地下に形成した土留壁に鋼材及び防振板を添設し、前記防振板からコンクリート壁厚分離隔して型枠を設置し、前記防振板、型枠間にコンクリートを打設して鉄筋コンクリート壁を構築する地下壁構造において前記防振板、型枠間に介在させる防振セパレータであって、
矩形状の第１端板と、矩形状の第２端板とをボルト、ナットを用いて所定の間隔を有する平行配置に取り付けたセパレータ本体と、
小径の突出円筒部と、この突出円筒部と一体の大径の円筒基部とを有し、前記突出円筒部を前記第１端板から防振板側に突出する状態とし、前記円筒基部が前記第１端板、第２端板間に内装され、その開口端面側が前記第２端板に接合する状態として配置した防振材からなる防振突出円筒体と、
前記突出円筒部内に設けた前記土留壁側の鋼材にねじ連結した壁側ねじ連結具の突出端側が螺着される第１螺着部と、
前記第２端板の前記型枠に対向する側に設けた前記型枠側から延在する型枠側ねじ連結具の突出端側が螺着される第２螺着部と、
前記防振突出円筒体の円筒基部の開口内に充填した防水材と、
を有することを特徴とする防振セパレータ。
【請求項３】
地下に形成した土留壁に鋼材及び防振板を添設し、前記防振板からコンクリート壁厚分離隔して型枠を設置し、前記防振板、型枠間にコンクリートを打設して鉄筋コンクリート壁を構築する地下壁構造において前記防振板、型枠間に介在させる防振セパレータであって、
矩形状の第１端板と、矩形状の第２端板とをボルト、ナットを用いて所定の間隔を有する平行配置に取り付けたセパレータ本体と、
小径の突出円筒部と、この突出円筒部と一体の大径の円筒基部とを有し、前記突出円筒部を前記第１端板から防振板側に突出する状態とし、前記円筒基部が前記第１端板、第２端板間に内装され、その開口端面側が前記第２端板に接合する状態として配置した防振材からなる防振突出円筒体と、
前記突出円筒部内にボルト及び座金を用いて固定配置した前記土留壁側の鋼材にねじ連結した壁側ねじ連結具の突出端側が螺着されるナットからなる第１螺着部と、
前記第２端板の前記型枠に対向する側にボルトを用いて固定配置した前記型枠側から延在する型枠側ねじ連結具の突出端側が螺着されるナットからなる第２螺着部と、
前記防振突出円筒体の円筒基部の開口内に充填した防水材と、
を有することを特徴とする防振セパレータ。
【発明の詳細な説明】
【技術分野】
【０００１】
本発明は、防振セパレータに関し、詳しくは、地下に形成した土留壁の部分に鉄筋コンクリート壁を構築する地下壁構造に用いられる防振セパレータに関するものである。
【背景技術】
【０００２】
例えば、建物の外壁等に用いる鉄筋コンクリート製の壁を、地面を掘削して得られた土留壁の部分に施工する場合、土留壁に芯材となる鋼材及びゴム、発泡体等からなる防振板を添設し、次いでこの防振板に平行し、かつ、施工しようとするコンクリート壁の厚み分離隔した位置にベニヤ板等よりなる型枠を設置する。
【０００３】
型枠は長尺のボルト等よりなる連結具、座金、ナットを用いて防振板に対して所定の間隔をもって保持される。
【０００４】
連結具の一端は、防振板を貫通して土留壁の芯材となる鋼材に取り付けられ、他端は型枠を貫き座金、ナットを用いて型枠に固定する。
【０００５】
次に、防振板と型枠との間に鉄筋を配筋し、更にコンクリートを流し込み硬化させることにより、コンクリートの壁を打設する。この後、コンクリートが固まった段階でナット、座金を取り外して型枠をコンクリート壁面から除去する。更に、コンクリート壁面から外部に突出した連結具の端部を切断する。また、連結具は、切断された部分を除きコンクリート壁の中に残されることになる。
【０００６】
以上の工程を経て土留壁の部分に所望の鉄筋コンクリート製の壁を構築することができる。
【０００７】
ところで、例えば、地震による地盤振動、電車軌道等で発生した地盤振動は、地盤から土留壁に伝わるが、上記のように施工した場合、土留壁側からの振動は、防振板によりある程度吸収されるとしても、前記鋼材に取り付けられ型枠固定に用いた連結具に伝達される。
【０００８】
連結具とコンクリート壁はともに剛体であり、しかも、直接接しているため、その連結具に伝達された土留壁からの振動はコンクリート壁に直に伝わり、コンクリート壁が振動して振動音が生じる等の不都合が生じる。
【０００９】
このようなコンクリート壁の振動により生ずる振動音はできるだけ小さいことが望ましく、特に美術館、コンサートホール等の静かな環境が求められる建築物においては、地震や電車軌道等に起因する地盤振動を地下のコンクリート壁に可能な限り伝達しないようにすることが強く要請される。
【００１０】
そこで、このような土留壁側に接続された連結具で型枠を支持し、土留壁に配置された防振板と型枠との間にコンクリートを打設することにより構築するコンクリート壁の防振構造として、連結具の途中に防振セパレータを介在させる試みが種々提案されている。
【００１１】
例えば、特許文献１には、鞘管と、鞘管の両端に配された弾性部材と、鞘管を貫通する連結具を構成するねじ体とを有し、ねじ体の周囲に空間を設けるとともに、鞘管の型枠側の端部に配された弾性部材を型枠に当接させた構成の防振地下壁用セパレータが提案されている。
【００１２】
特許文献２には、地中連壁に沿って配設される防振材と、防振材側の取付部材と所定間隔離隔して配置される型枠とを支持部材により連結して、防振材、型枠間にコンクリート打設空間を形成するようにして構築する地下外壁の防振構造において、前記支持部材の取付部材側との固定部分を生分解性プラスチックによって構成したセパレータが提案されている。
【００１３】
しかし、特許文献１、２ともに、ねじ体や支持部材自体を地中壁側と型枠側とに分離するように構成したものではない。
【特許文献１】特許第３７３２９０２号公報
【特許文献２】特開２００７−１００３０３号公報
【発明の開示】
【発明が解決しようとする課題】
【００１４】
本発明が解決しようとする課題は、土留壁側からの振動がコンクリート壁に伝達されることを確実に遮断できる高性能で、しかも、簡略、かつ、組み立て容易な防振セパレータが存在しない点である。
【課題を解決するための手段】
【００１５】
本発明は、地下に形成した土留壁に鋼材及び防振板を添設し、前記防振板からコンクリート壁厚分離隔して型枠を設置し、前記防振板、型枠間にコンクリートを打設して鉄筋コンクリート壁を構築する地下壁構造において前記防振板、型枠間に介在させる防振セパレータであって、第１端板と、第２端板とをボルト、ナットを用いて所定の間隔を有する平行配置に取り付けたセパレータ本体と、小径の突出円筒部と、この突出円筒部と一体の大径の円筒基部とを有し、前記突出円筒部を前記第１端板から防振板側に突出する状態とし、前記円筒基部が前記第１端板、第２端板間に内装され、開口端面側が前記第２端板に接合する状態として配置した防振材からなる防振突出円筒体と、前記突出円筒部内に設けた前記土留壁側の鋼材にねじ連結した壁側ねじ連結具の突出端側が螺着される第１螺着部と、前記第２端板の前記型枠に対向する側に設けた前記型枠側から延在する型枠側ねじ連結具の突出端側が螺着される第２螺着部と、を有することを最も主要な特徴とする。
【発明の効果】
【００１６】
請求項１記載の発明によれば、土留壁側からの振動が鉄筋コンクリート壁に伝達されることを確実に遮断し、振動音が生じる等の不都合が発生することを無くすことができる高性能の防振性能を有する防振セパレータを提供することができる。
【００１７】
請求項２記載の発明によれば、請求項１記載の発明の効果を奏することに加え、防振突出円筒体の円形凹部内に、防水材を充填した構成としているので、ノロ発生や空洞発生を回避でき、これにより、鉄筋コンクリート壁の施工後においてコンクリート本来の強度を維持することができる効果をも奏する防振セパレータを提供することができる。
【００１８】
請求項３記載の発明によれば、請求項２記載の発明の効果を奏することに加え、その組み立てに際して、所要のボルト、ナットによる締め付け方式を採用しているので、組み立てが簡略であり、施工の簡便化、施工コストの低廉化をも図ることができ防振セパレータを提供することができる。
【発明を実施するための最良の形態】
【００１９】
本発明は、土留壁側からの振動がコンクリート壁に伝達されることを確実に遮断できる高性能で、しかも、簡略、かつ、組み立て容易な防振セパレータを提供することを目的とするものである。
本発明は、上記目的を、地下に形成した土留壁に鋼材及び防振板を添設し、前記防振板からコンクリート壁厚分離隔して型枠を設置し、前記防振板、型枠間にコンクリートを打設して鉄筋コンクリート壁を構築する地下壁構造において前記防振板、型枠間に介在させる防振セパレータであって、矩形状の第１端板と、矩形状の第２端板とをボルト、ナットを用いて所定の間隔を有する平行配置に取り付けたセパレータ本体と、小径の突出円筒部と、この突出円筒部と一体の大径の円筒基部とを有し、前記突出円筒部を前記第１端板から防振板側に突出する状態とし、前記円筒基部が前記第１端板、第２端板間に内装され、その開口端面側が前記第２端板に接合する状態として配置した防振材からなる防振突出円筒体と、前記突出円筒部内にボルト及び座金を用いて固定配置した前記土留壁側の鋼材にねじ連結した壁側ねじ連結具の突出端側が螺着されるナットからなる第１螺着部と、前記第２端板の前記型枠に対向する側にボルトを用いて固定配置した前記型枠側から延在する型枠側ねじ連結具の突出端側が螺着されるナットからなる第２螺着部と、前記防振突出円筒体の円筒基部の開口内に充填した防水材と、を有する構成により実現した。
【実施例】
【００２０】
以下に、本発明の実施例に係る防振セパレータ１について図面を参照して詳細に説明する。
【００２１】
本実施例に係る防振セパレータ１は、図１に示すように、建物の外壁等に用いる鉄筋コンクリート製の壁（以下、「鉄筋コンクリート壁」という）２を、地面を掘削して得られた地下の防振連壁を形成する土留壁３の部分に施工する場合に使用するものである。
【００２２】
すなわち、前記土留壁３に芯材となる鋼材４及びゴム、発泡体等からなる防振板５を添設し、次いでこの防振板５に平行し、かつ、施工しようとする鉄筋コンクリート壁２の厚みｔの分離隔した位置にベニヤ板等よりなる型枠６を設置する。
【００２３】
そして、防振板５と型枠６との間に、本実施例に係る防振セパレータ１をねじ棒材からなる壁側ねじ連結具７、長尺のねじ棒材等からなる型枠側ねじ連結具８を用いてねじ結合により介在させるものである。
【００２４】
次に、本実施例に係る防振セパレータ１の構成について、図２乃至図８をも参照して詳述する。
【００２５】
本実施例に係る防振セパレータ１は、図２に示すように、防振板５側に配置する矩形状で四隅をＲ状とした第１端板１１と、型枠６側に配置する同じく矩形状で四隅をＲ状とした第２端板１２とを所定の間隔で対向配置し、これらによりセパレータ本体１０を構成する。
【００２６】
前記第１端板１１には、図４に示すように、その中心部に中心孔１１ｂを設け、またその四隅近傍位置に合計四個のボルト孔１１ａを設けている。
【００２７】
前記第２端板１２には、図６に示すように、その中心部に中心孔１２ｂを設け、またその四隅近傍位置に合計四個のボルト孔１２ａを設けている。更に、前記第２端板１２には、前記中心孔１２ｂを挟んで同図において上下配置に注入孔１２ｃ、吐出孔１２ｄを設けている。
【００２８】
このように構成した前記第１端板１１、第２端板１２を、図２、図３、図５に示すように、所定の間隔で平行配置し、各ボルト孔１１ａ、ボルト孔１２ａ間に各々高ナット１３を配置するとともに、各ボルト孔１１ａ、ボルト孔１２ａの外側から、合計８個の隅ボルト１４を各高ナット１３に各々ねじ込むことで、前記第１端板１１、第２端板１２を一体的に連結する。この場合に、前記隅ボルト１４にはねじロック剤を塗布するようにしている。
なお、前記第２端板１２は、以下に述べるように、防振突出円筒体２３、内装高ナット１７、座金１８及び内装座金固定ボルト１９を前記第１端板１１側に配置した後において各高ナット１３の他端側に連結されるものである。
【００２９】
前記第１端板１１、第２端板１２の間には、ゴム材又は発泡材等のような防振性能を有する素材により形成した防振突出円筒体２３が配置される。
【００３０】
前記防振突出円筒体２３は、図８にも示すように、小径の突出円筒部１５と、この突出円筒部１５と一体の大径の円筒基部１６とを有するとともに、前記突出円筒部１５内を中心方向に貫通する状態に第２端板１２側が開口した円形凹部１６ａ、高ナット孔１５ａ及びこの高ナット孔１５ａより小径の連結具挿入孔１５ｂを連ねている。
【００３１】
この防振突出円筒体２３は、前記第２端板１２を各高ナット１３に取り付ける前に、突出円筒部１５を前記第１端板１１の中心孔１１ｂを貫通させることで第１端板１１に添設する。
【００３２】
そして、前記高ナット孔１５ａ内に第１螺着部を構成する内装高ナット１７を挿入し、円形凹部１６ａの底面に図７に示す円形の座金１８を配置して、この状態でねじロック剤を塗布した内装座金固定ボルト１９を前記座金１８を貫通させ、その先端部が内装高ナット１７のねじ孔の途中位置に至る状態となるようにねじ込むことで、前記内装高ナット１７と座金１８とを防振突出円筒体２３の内部で連結固定する。また、前記座金１８と円形凹部１６ａの底面とは接着剤を用いて圧着固定している。
【００３３】
一方、前記第２端板１２を取り付けるに先立ち、この第２端板１２の外面（型枠６側の面）において中心孔１２ｂの位置に第２螺着部を構成する型枠側高ナット２０を配置し、内面（第１端板１１側の面）側からねじロック剤を塗布した内装高ナット固定ボルト２１を前記中心孔１２ｂを貫通させ、その先端が型枠側高ナット２０のねじ孔の途中位置に至る状態となるようにねじ込むことで、型枠側高ナット２０を第２端板１２に前記型枠６側に突出する状態で一体的に連結する。
【００３４】
この後、４個の隅ボルト１４を用いて前記第２端板１２を各高ナット１３の端面に連結して図２に示す状態とする。この状態では、前記防振突出円筒体２３の開口側の端面が第２端板１２の内面に密接する状態に設定している。
【００３５】
更に、前記円形凹部１６ａ内には、空洞発生を防止するためのシリコン等からなる防水材（コーキング材）２２を充填している。
この防水材２２は、上述のようにして各要素の組み立てを行った後に、前記第２端板１２に設けた注入孔１２ｃから円形凹部１６ａ内に前記吐出孔１２ｄからはみ出るに至るまで注入して、円形凹部１６ａ内に充満させ、更に、前記注入孔１２ｃ、吐出孔１２ｄの表面部分を表面処理して、外部に流出しないようにしている。
【００３６】
このようにして、組み立てが完了した前記防振セパレータ１においては、図２に示すように、前記突出円筒部１５における連結具挿入孔１５ｂの内部に位置する内装高ナット１７には、前記壁側ねじ連結具７をねじ込むための所定の深さのねじ孔が存在し、また、前記型枠側高ナット２０にも前記型枠側ねじ連結具８をねじ込むための所定の深さのねじ孔が存在することになる。
【００３７】
次に、本実施例に係る防振セパレータ１の作用、効果について説明する。
本実施例に係る防振セパレータ１においては、上述したように、壁側ねじ連結具７の一端を前記土留壁３の鋼材４にねじ結合により連結するとともに、壁側ねじ連結具７の突出端側を前記防振突出円筒体２３の連結具挿入孔１５ｂ内に挿入し、前記内装高ナット１７にねじ結合（螺着）することで防振板５に取り付ける。このとき、防振セパレータ１の突出円筒部１５の一部は前記防振板５内に埋没した状態となる。
【００３８】
一方、本実施例に係る防振セパレータ１における型枠側高ナット２０に対しては、前記型枠６の外側にナット等により一端を固定し、型枠６を貫通させた型枠側ねじ連結具８の突出端側をねじ結合（螺着）することで前記型枠６を図２に示す状態に固定配置するものである。
【００３９】
このようにして、前記土留壁３の部分に添設した防振板５と、鉄筋コンクリート壁２の厚みｔの分離隔し、かつ、前記防振セパレータ１を介在させつつ配置した型枠６との間に鉄筋を配筋した後、コンクリートを流し込んで硬化させることで、鉄筋コンクリート壁２を構築する。
【００４０】
そして、コンクリート硬化後、前記型枠６を取り外し、鉄筋コンクリート壁２の壁面から突出する型枠側ねじ連結具８の一端部を切断することで鉄筋コンクリート壁２の施工を完了する。
【００４１】
以上説明した本実施例に係る防振セパレータ１によれば、この防振セパレータ１における前記壁側ねじ連結具７に対しては、地震等の発生に伴って前記土留壁３側からの振動が伝達され、前記防振突出円筒体２３内の内装高ナット１７も振動するが、この振動は前記防振突出円筒体２３により吸収される振動絶縁構造を採用しているので、前記セパレータ本体１０、前記型枠側高ナット２０への振動伝達が遮断される。
この結果、土留壁３側からの振動が鉄筋コンクリート壁２に伝達されることを確実に遮断し、振動音が生じる等の不都合が発生することを無くすことができる。
【００４２】
また、本実施例に係る防振セパレータ１によれば、第１端板１１、第２端板１２、高ナット１３、隅ボルト１４から構成されるセパータ本体１０、防振突出円筒体２３、内装高ナット１７、型枠側高ナット２０等からなる全体構造を薄型、小型に構成でき、これにより、防振セパレータ１自体の製造コスト低減を図ることができる。
本実施例に係る防振セパレータ１によれば、防振セパレータ１を組み立てる場合に所要のボルト、ナットによる締め付け方式を採用しているので、組み立てが簡略であり、施工の簡便化、施工コストの低廉化を図ることができる。
【００４３】
本実施例に係る防振セパレータ１によれば、前記防振突出円筒体２３の円形凹部１６ａ内に、防水材２２を充填しているので、円形凹部１６ａ内でのノロ（コンクリートの肉だれ）発生による防振性能の劣化や、コンクリート打設後の空洞発生を回避でき、これにより、鉄筋コンクリート壁２の施工後においてコンクリート本来の強度を維持することができる。
【００４４】
本実施例に係る防振セパレータ１によれば、セパータ本体１０に配置した前記防振突出円筒体２３により、前記壁側ねじ連結具７と型枠側ねじ連結具８とを完全に分離する構造としているので、仮に前記土留壁３側から壁側ねじ連結具７を伝わってセパータ本体１０に水が浸入しようとしても前記防振突出円筒体２３により阻止することができ、これにより、型枠側ねじ連結具８から外部への水漏れを無くすことができる。
【産業上の利用可能性】
【００４５】
本発明の防振セパレータは、鉄筋コンクリート構造のビルディング、橋梁、発電所用等のダム、その他各種の鉄筋コンクリート構造物の防振対策として広範に応用可能である。
【図面の簡単な説明】
【００４６】
【図１】本発明の実施例に係る防振セパレータの具体的使用態様を示す概略図である。
【図２】本実施例に係る防振セパレータの断面図である。
【図３】本実施例に係る防振セパレータの左側面図である。
【図４】本実施例に係る防振セパレータの第１端板を示す平面図である。
【図５】本実施例に係る防振セパレータの右側面図である。
【図６】本実施例に係る防振セパレータの第２端板を示す平面図である。
【図７】本実施例に係る防振セパレータの座金を示す平面図である。
【図８】本実施例に係る防振セパレータの防振突出円筒体を示す断面図である。
【符号の説明】
【００４７】
１    防振セパレータ
２    鉄筋コンクリート壁
３    土留壁
４    鋼材
５    防振板
６    型枠
７    壁側ねじ連結具
８    型枠側ねじ連結具
１０    セパレータ本体
１１    第１端板
１１ａ  ボルト孔
１１ｂ  中心孔
１２    第２端板
１２ａ  ボルト孔
１２ｂ  中心孔
１２ｃ  注入孔
１２ｄ  吐出孔
１３    高ナット
１４    隅ボルト
１５    突出円筒部
１５ａ  高ナット孔
１５ｂ  連結具挿入孔
１６    円筒基部
１６ａ  円形凹部
１７    内装高ナット
１８    座金
１９    内装座金固定ボルト
２０    型枠側高ナット
２１    内装高ナット固定ボルト
２２    防水材
２３    防振突出円筒体
【図１】
2010007280.tif 000003
【図２】
2010007280.tif 000004
【図３】
2010007280.tif 000005
【図４】
2010007280.tif 000006
【図５】
2010007280.tif 000007
【図６】
2010007280.tif 000008
【図７】
2010007280.tif 000009
【図８】
2010007280.tif 000010